(57)【要約】      （修正有）【課題】ノック式シャープペンシルにおいて、芯出口部分のコレットチャックによって、芯が短くなっても、芯をチャッキングする事が可能となり、芯がへこんだり、回転して書きにくくなる事を防ぐことによって、芯を最後まで使えるようにし、芯の無駄にする部分をほぼなくすることが可能とする。【解決手段】芯繰り出し機構に設けられる第２のコレットチャック９の前方に位置する芯の出口部分に第１のコレットチャック１を設け、そのコレットチャック１を芯を繰り出すノックと連動させ、そのコレットチャック１に被せるように配置された、キャップ型クランプ２でクランプして、芯をチャッキングし保持させる。【選択図】図１
2011245629.tif 000002
【特許請求の範囲】
【請求項１】
ノック式シャープペンシルの芯の出口部分に設けられた第１コレットチャックと、その第１コレットチャックを締め付け、第１コレットチャックに被せるように配置されたキャップ型クランプと、第１コレットチャックに取り付けられて、キャップ型クランプを往復運動させるためのスプリングと、そのスプリングの飛び出しを防止し、スプリングを伸縮させるためにキャップ型クランプに接続された止め具と、本体ケースと第１コレットチャックを固定させるために配置された止め具と、その止め具を貫通しキャップ型クランプに接続された止め具を押しスプリングを伸縮させキャップ型クランプを往復運動させる為にノックと連動した押しコックからなることを特徴とするノック式シャープペンシルである。
【発明の詳細な説明】
【技術分野】
【０００１】
本発明はノック式シャープペンシルにおける、芯を最後まで使うことを特徴とする芯のチャキング機構に関するものである。
【背景技術】
【０００２】
従来のノック式シャープペンシルでは、ノックを押すことにより、芯をチャッキグしているコレットチャクが押し出され芯の出口方向に移動中にチャッキングがはずれ、芯のみが前に送り出され、コレットチャックが後退することによって再び芯をチャッキングする構造となっている。  
【先行技術文献】
【特許文献】
【０００３】
【特許文献１】特開２００４−１３０７６５
【特許文献２】特開２００６−１５０８９８
【発明の概要】
【発明が解決しようとする課題】
【０００４】
しかしながら、前記ノック式シャープペンシルでは、芯を送り出すコレットチャックと芯の出口にあるガイドまでに、ある一定の距離があるため芯がその距離よりも短くなると、芯を保持する事が出来なくなり、芯がへこんだり、回転して書きにくくなるので、その長さより短い芯は無駄になってしまう。本発明は前記課題を解決するためになされたものであって、その目的は短くなった芯を最後まで使う事の出来るノック式シャープペンシルを提供することである。
【課題を解決するための手段】
【０００５】
前記課題を解決するために、芯の出口部分にコレットチャックを設け、そのコレットチャックを、芯を繰り出すノックと連動させ芯をチャッキングするために芯の出口部分に設けられたコレットチャックに被せるように配置されたキャップ型クランプでクランプして芯をチャッキングし保持させる機構である。
【発明の効果】
【０００６】
本発明によれば、芯出口部分のコレットチャックによって、芯が短くなっても、チャッキングする事が可能となり、芯のへこみや回転して書きにくくなる事を防ぐことによって、芯を最後まで使えるようにし、芯の無駄にする部分をほぼなくすることが可能となる。
【図面の簡単な説明】
【０００７】
【図１】本実施形態のノック式シャープペンシルを示す断面図である。
【発明を実施するための形態】
【０００８】
ノック式シャープペンシルのノックを押すと、ノックと連動した押しコックがキャップ型クランプに固定された止め具を押すことにより、キャップ型クランプを前進させる。そのことにより今まで芯出口部分のコレットチャックとそのコレットチャックに固定された止め具との間に配置されたスプリングが張ることによってコレットチャックをクランプして芯をチャッキングしていたが、押しコックに押されてスプリングが縮むことにより、芯出口コレットチャックからキャップ型クランプが芯の出口方向に移動（以後前進とする）しクランプがはずれチャッキングが緩むため、芯を繰り出すことが可能となる。そしてノックを元に戻すことによりキャップ型クランプが芯の出口方向と反対方向に移動（以後後退とする）し元の位置に戻るため、芯出口コレットチャックとナットの間に配置されたスプリングが張り、芯出口コレットチャックを再びクランプさせ芯をチャッキングし保持する。
【実施例】
【０００９】
本発明を添付の図面１を参照しながら以下詳細に説明する。
本実施例のノック式シャープペンシルでは、ノック８を押して第２コレットチャック９を往復運動させて芯を繰り出す従来の機構を利用しノック８を押したときにノック８に連動した押しコック５が前進し、前記押しコック５がキャップ型クランプ２に固定されたナット３を押すことによって芯の出口部分に配置された第１コレットチャック１に取り付けられ、前記ナット３との間に配置されたスプリング７が縮む。スプリング７が縮む事により前記第１コレットチャック１に被せるように配置されたキャップ型クランプ２が前進しスプリング７が張る事によってキャップ型クランプ２で第１コレットチャック１をクランプしていたのがはずれ芯のチャッキングがゆるみ芯が繰り出される。ノック８を元に戻すことによってスプリング７が伸び、キャップ型クランプ２が元の位置に戻ることによってキャップ型クランプ２によって第１コレットチャック１が再度クランプされ芯がチャッキングされる。第１コレットチャック１は芯をチャッキングするために芯出口先端部分はテーパ形状になっており複数本のすり割りが加工されている。また第１コレットチャック１と本体ケース６が接続ナット４によってネジ止めすることにより、ノック８、押しコック５、キャップ型クランプ２の往復運動が可能となる。押しコック５はスプリング７の伸縮を均一になるようにするため接続ナット４に複数箇所開けられた穴を貫通するような形状となり、ナット３を等配に複数箇所押す構造である。また第２コレットチャック９は従来の芯を繰り出す機構を利用したものであるため、芯をチャッキングしているときは、すり割り部分にガイドが被せてありノック８を押した時にガイドがはずれ芯が前進し繰り出される機構となる。そのため本実施形態ではノック８を押した時に第２コレットチャック９が芯を前進させる前にキャップ型クランプ２のクランプをはずしておかないと芯が折れてしまう可能性がある。但し本実施形態ではスプリング７が張ることによって第１コレットチャック１をクランプし芯をチャッキングする機構であるためナット３とスプリング７は密着し、ノック８を押すとスプリング７がすぐ連動して縮む。それによって第２コレットチャック９のすり割り部分に被せてあるガイドは第１コレットチャック１の壁に当ってはずれるまでのあいだに距離をとる事により少し遅れてガイドがはずれるためキャップ型クランプ２のクランプがはずれてから芯を繰り出す事が可能となる。
【符号の説明】
【００１０】
１・・・第１コレットチャック        ２・・・キャップ型クランプ
３・・・ナット                      ４・・・接続ナット
５・・・押しコック                  ６・・・本体ケース
７・・・スプリング                  ８・・・ノック
９・・・第２コレットチャック
【図１】
2011245629.tif 000003